(57)【要約】【課題】着用者に負担をかけずに骨盤周囲において固定することが可能なパンツを提供する。【解決手段】ベルト付きパンツ１は、パンツ本体１０と、当該パンツ本体１０に縫着されたベルト１２とを備える。ベルト１２は、着用者の骨盤周りに配設され、伸縮性を有する帯状の部材によって構成される。ベルト１２は、パンツ本体１０の前身頃においてクロスするように配設される。また、ベルト１２は、パンツ本体の後ろ身頃において左右方向に並行に配設される。【選択図】図１
2014231653.tif 000002
【特許請求の範囲】
【請求項１】
前身頃と後ろ身頃とを有するパンツ本体と、
前記パンツ本体の内側に配設され、着用者の骨盤周囲において前記パンツ本体を固定するための伸縮性を有する環状ベルトとを備えるパンツであって、
前記環状ベルトは、前記パンツ本体の前身頃において前記パンツ本体の左右の一方端から他方端にかけて斜めに延びる一対の帯状部を有し、当該帯状部は前記前身頃の左右方向中央部において互いにクロスされる、パンツ。
【請求項２】
前記環状ベルトは、前記パンツ本体の後ろ身頃において左右方向に水平に延びる、請求項１に記載のパンツ。
【請求項３】
前記環状ベルトは、その上端部が前記パンツ本体と接続され、その下端部は前記パンツ本体と接続されない、請求項１又は２に記載のパンツ。
【発明の詳細な説明】
【技術分野】
【０００１】
本発明は、着用者の腰部に固定可能な部材を備えるパンツに関する。
【背景技術】
【０００２】
従来より、着用者の骨盤周囲を支えるための部材を備えた下半身用の衣類が存在する。例えば、特許文献１では、左右方向に配設された骨盤サポートバンドを備えるズボンが開示されている。
【先行技術文献】
【特許文献】
【０００３】
【特許文献１】特開２００８−１９６０８９号公報
【発明の概要】
【発明が解決しようとする課題】
【０００４】
しかしながら、上記特許文献１に記載のズボンでは、左右方向からの力で骨盤周囲をサポートするものであり、着用者に負担をかけずに骨盤周囲においてズボンを固定するという点においては改善の余地があった。
【０００５】
それ故、本発明の目的は、着用者に負担をかけずに骨盤周囲において固定することが可能なパンツを提供することである。
【課題を解決するための手段】
【０００６】
本発明は、上記の課題を解決するために、以下の構成を採用した。
【０００７】
本発明の一例は、前身頃と後ろ身頃とを有するパンツ本体と、前記パンツ本体の内側に配設され、着用者の骨盤周囲において前記パンツ本体を固定するための伸縮性を有する環状ベルトとを備えるパンツであって、前記環状ベルトは、前記パンツ本体の前身頃において前記パンツ本体の左右の一方端から他方端にかけて斜めに延びる一対の帯状部を有し、当該帯状部は前記前身頃の左右方向中央部において互いにクロスされる。
【０００８】
上記によれば、着用者の骨盤周囲においてパンツ本体を固定することができるパンツを提供することができ、パンツがずり落ちないようにすることができる。前身頃においてクロスされたベルトによって着用したときに上下左右方向から力を作用させることができ、骨盤周囲においてパンツをしっかりと固定することができる。
【０００９】
また、他の構成では、前記環状ベルトは、前記パンツ本体の後ろ身頃において左右方向に水平に延びてもよい。
【００１０】
上記によれば、ベルトは前身頃においてはクロスされる一方で後ろ身頃では水平に延びるため、腹部に過度な負担がかかることを防止しつつ、パンツを着用者の骨盤周囲に固定することができる。
【００１１】
また、他の構成では、前記環状ベルトは、その上端部が前記パンツ本体と接続され、その下端部は前記パンツ本体と接続されなくてもよい。
【００１２】
上記によれば、ベルトの下端がパンツ本体に接続されずに自由端として構成されるため、ベルトを外部から目立たなくすることができる。
【発明の効果】
【００１３】
本発明によれば、着用者に負担をかけずに骨盤周囲においてパンツを固定することができる。
【図面の簡単な説明】
【００１４】
【図１】本実施形態のベルト付きパンツ１の正面図
【図２】本実施形態のベルト付きパンツ１の背面図
【図３】パンツ１の内側を示す図であり、パンツ１の一部を上斜め後方から見た図
【図４】着用者がベルト付きパンツ１を着用した場合において着用者の正面からベルト１２を見た図
【図５】着用者がベルト付きパンツ１を着用した場合において着用者の左側からベルト１２を見た図
【図６】パンツ１の前身頃におけるベルト１２とパンツ本体１０との縫着位置を示す図
【図７】パンツ１の後ろ身頃におけるベルト１２とパンツ本体１０との縫着位置を示す図
【発明を実施するための形態】
【００１５】
（本実施形態の妊婦用腹帯の構成）
以下、図面を参照しながら、一実施形態のベルト付きパンツについて、説明する。図１は本実施形態のベルト付きパンツ１の正面図である。図２は、本実施形態のベルト付きパンツ１の背面図である。図３は、パンツ１の内側を示す図であり、パンツ１の一部を上斜め後方から見た図である。
【００１６】
図１から図３に示すように、ベルト付きパンツ１は、パンツ本体１０と、着用者の骨盤周りに配設される環状のベルト１２とを備える。ベルト付きパンツ１は、着用者が下半身に着用するパンツであり、外着用のズボンとして下着等の上から着用される。パンツ本体１０は、例えば、伸縮性を有する布地で構成され、前身頃と後ろ身頃とを有する。
【００１７】
ベルト１２は、伸縮性を有する複数の帯状の部材によって構成される。ベルト１２は、パンツ本体１０に縫着により接続され、着用者の骨盤周りに配設されてパンツ本体１０を着用者の腰部において固定する。
【００１８】
具体的には、ベルト１２は、パンツ本体１０の前身頃に配設されるベルト１２ａおよび１２ｂ、パンツ本体１０の後ろ身頃に配設されるベルト１２ｃおよび１２ｄによって構成される。例えば、ベルト１２ａ〜１２ｄは、平ゴム等の伸縮性を有するベルトであり、それぞれ同じ幅（例えば４ｃｍ〜１０ｃｍ（好ましくは７ｃｍ程度））を有している。ベルト１２ａ〜１２ｄの長さは、パンツ本体１０のサイズによって適宜調整される。
【００１９】
図１に示すように、ベルト１２ａおよびベルト１２ｂは、パンツ本体１０の前身頃においてパンツ本体１０の左右の一方端から他方端にかけて斜めに延びる一対の帯状部を形成し、パンツ本体１０の前身頃の中央部分において互いにクロスされる。また、図２に示すように、ベルト１２ｃおよびベルト１２ｄは、パンツ本体１０の後ろ身頃において左右方向に互いに並行にされて配設される。
【００２０】
具体的には、着用者の視点を基準として、ベルト１２ａはパンツ本体１０の右端（図１の左端）から左端（図１の右端）にかけて斜めに配設され、ベルト１２ｂはパンツ本体１０の左端（図１の右端）から右端（図１の左端）にかけて斜めに配設される。ベルト１２ａの右端からベルト１２ｃが連設されるようにして、ベルト１２ａおよびベルト１２ｃがパンツ本体１０の右端とそれぞれ縫着される。また、ベルト１２ａの左端からベルト１２ｄが連設されるようにして、ベルト１２ａおよびベルト１２ｄがパンツ本体１０の左端とそれぞれ縫着される。同様に、ベルト１２ｂの右端からベルト１２ｄが連設されるようにして、ベルト１２ｂおよびベルト１２ｄがパンツ本体１０の右端とそれぞれ縫着される。また、ベルト１２ｂの左端からベルト１２ｃが連設されるようにして、ベルト１２ｂおよびベルト１２ｃがパンツ本体１０の左端とそれぞれ縫着される。なお、ベルト１２ａ〜１２ｄの縫着位置は左右端に限らず、例えば、デザインにより前後中央部であってもよく任意の場所であってもよい。
【００２１】
図１および図２に示すように、ベルト１２は、その上端がパンツ本体１０の上端部１１（穿き口）よりも下方に設けられる。具体的には、ベルト１２ａおよびベルト１２ｂの上端は、パンツ本体１０の上端部１１よりも下方に位置し、ベルト１２ｃの上端はパンツ本体１０の上端部１１よりも下方に位置する。例えば、ベルト１２ｃの上端は、パンツ本体１０の上端部１１（上端部１１の最下端）から２ｃｍ〜６ｃｍ程度の位置に設定されてもよい。
【００２２】
図４は、着用者がベルト付きパンツ１を着用した場合において着用者の正面からベルト１２を見た図である。図４に示すように、着用者がベルト付きパンツ１を着用した場合に、ベルト１２が着用者の骨盤を周回するように、ベルト１２の位置が定められる。具体的には、ベルト１２ａおよびベルト１２ｂは、例えば、左右端が腸骨部分を支えるようにそれぞれ配設され、ベルト１２ａおよびベルト１２ｂは前身頃の中央部分（着用者の腹部）でクロスされる。
【００２３】
これにより、着用した場合にベルト１２ａおよびベルト１２ｂの長手方向の伸縮力により、図４に示す矢印のように、斜め方向の力が作用する。この斜め方向の収縮力により、着用者の骨盤を左右方向から支えるとともに、上下方向にも力を生じさせることができる。このため、ベルト１２によって着用者の骨盤を上下左右方向から包み込むようにしてサポートすることができ、ベルト付きパンツ１のずり落ちを防止するとともに、着用者の腰部の負担を軽減することができる。
【００２４】
また、パンツ本体１０の上端部１１（穿き口）は、ウエストの下方であって骨盤の上端付近に位置するようになる。したがって、パンツ本体１０の上端部１１によってウエストを締め付けることがなく、着用者の腹部への負担を無くすことができる。また、パンツ本体１０はベルト１２によってずり落ちないように固定されるため、パンツ本体１０の上端部１１にゴム紐等の伸縮性部材や絞り紐等を配設したり、他のベルトを通すためのベルト通しを上端部１１に配設しなくてもよい。
【００２５】
このように、パンツ本体１０の上端部１１においてパンツ本体１０を固定せず、かつ、パンツ本体１０の上端部１１から所定距離だけ下方の位置にベルト１２の上端が位置する構造を有することにより、着用者の腹部に負担をかけることなく骨盤周囲においてパンツ本体１０を固定することができる。
【００２６】
図５は、着用者がベルト付きパンツ１を着用した場合において着用者の左側からベルト１２を見た図である。図５に示す矢印のように、ベルト１２によって着用者の骨盤周りに力が作用し、骨盤付近においてパンツ本体１０を固定することができるとともに、着用者の骨盤周りを引き締めることができる。
【００２７】
このように、パンツ本体１０の前身頃においては、ベルト１２ａおよびベルト１２ｂがクロスされるため、斜め方向に力が作用し、骨盤を包み込むようにすることができる。また、前身頃においてベルト１２ａおよびベルト１２ｂがクロスされることにより、１枚のベルトまたは２枚のベルトを並行に配設する場合よりも、着用者の腹部の引き締め効果を向上させることができる。また、これらがクロスされることによって、着用者の腹部全体を締め付けることなく、着用者の負担を和らげることができる。
【００２８】
また、パンツ本体１０の後ろ身頃においては、ベルト１２ｃおよびベルト１２ｄが並行に配設される。すなわち、パンツ本体１０の後ろ身頃においては左右方向に水平にベルト１２が延びる。このため、着用者の骨盤部分のほぼ全体をベルト１２ｃおよびベルト１２ｄで支えることができ、パンツ本体１０を骨盤周囲において固定することができる。また、ベルト１２ｃおよびベルト１２ｄによって骨盤を背後から支えることができるため、着用者の腰への負担を軽減することができる。
【００２９】
図６は、パンツ１の前身頃におけるベルト１２とパンツ本体１０との縫着位置を示す図である。図７は、パンツ１の後ろ身頃におけるベルト１２とパンツ本体１０との縫着位置を示す図である。
【００３０】
図６および図７において、一点鎖線はベルト１２とパンツ本体１０とが縫着される位置（縫着線）を示す。図６に示すように、ベルト１２ａおよびベルト１２ｂは、その上端においてパンツ本体１０に縫着され、その下端においてパンツ本体１０に縫着されない。すなわち、ベルト１２ａおよびベルト１２ｂは、下端部分においては自由端となる。なお、ベルト１２ａおよびベルト１２ｂは、左右両端においてパンツ本体１０に縫着される。また、ベルト１２ａとベルト１２ｂとは、重なり合う部分の端部（重なる部分における上端および下端；図６における略菱形の部分における端部）において互いに縫着される。
【００３１】
また、図７に示すように、後ろ身頃においても同様に、ベルト１２ｃおよびベルト１２ｄは、その上端においてパンツ本体１０に縫着され、その下端においてパンツ本体１０に縫着されない。すなわち、ベルト１２ｃおよびベルト１２ｄは、下端部分においては自由端となる。また、ベルト１２ｃおよびベルト１２ｄは、左右両端においてパンツ本体１０に縫着される。また、ベルト１２ｃとベルト１２ｄとは、重なり合う部分の端部（図７におけるベルト１２ｃとベルト１２ｄの境界部分）において互いに縫着される。
【００３２】
このように、ベルト１２がその上端においてパンツ本体１０に縫着され、その下端においてパンツ本体１０に縫着されないため、ベルト付きパンツ１を外側から見た場合に、ベルト１２が内蔵されていることが解りにくい。すなわち、ベルト１２の下端は縫着されていないため、縫着線が表に見えることはない。また、ベルト１２の下端が自由端となるため、ベルト１２とパンツ本体１０とはベルト１２の上端部分を除いて独立して動く。このため、着用者がベルト付きパンツ１を着用することによってベルト１２およびパンツ本体１０が引っ張られた場合でも、その引っ張り力によってパンツ本体１０およびベルト１２はそれぞれ影響することなく伸びる。したがって、ベルト付きパンツ１を着用した場合でも、不自然にしわができたりすることなく、表側からベルト１２を目立ち難くすることができる。
【００３３】
以上のように、本実施形態のベルト付きパンツ１は、パンツ本体１０を着用者の骨盤周りに固定するための、複数の伸縮性を有するベルトからなるベルト１２を備える。当該ベルト１２はパンツ本体１０の前身頃においてクロスされ、後ろ身頃において並行に配設される。これにより、パンツ本体１０を着用者の骨盤周囲において固定することができる。また、前身頃においてベルト１２がクロスされるため、左右斜め方向から中央部分にかけて骨盤を包み込むようにして固定しつつ、腹部に過度な負担がかからないようにすることができる。また、ベルト１２によって骨盤を支えることができるため、腰の負担を軽減することができる。
【００３４】
なお、上記実施形態は単なる一例であり、例えば以下に説明するように種々の変形が行われてもよい。
【００３５】
例えば、上記実施形態では、環状のベルト１２は、４つのベルト１２ａ〜１２ｄによって構成されたが、他の実施形態では、環状のベルト１２を構成する部品の数はこれに限らない。
【００３６】
また、ベルト１２の素材は伸縮性を有するものであればどのようなものでもよい。
【００３７】
また、上記実施形態では、ベルト１２をパンツ本体１０に縫い付けることにより接続したが、他の実施形態では、他の任意の方法（テープ等による貼付や接着剤を用いる方法、ボタン等の係止部材を用いる方法）によってベルト１２をパンツ本体１０に接続してもよい。
【００３８】
また、上記実施形態では、ベルト付きパンツ１がアウターウェアとして用いられることとしたが、インナーウェアとして用いられてもよい。
【符号の説明】
【００３９】
１        ベルト付きパンツ
１０      パンツ本体
１２      ベルト
【図１】
2014231653.tif 000003
【図２】
2014231653.tif 000004
【図３】
2014231653.tif 000005
【図４】
2014231653.tif 000006
【図５】
2014231653.tif 000007
【図６】
2014231653.tif 000008
【図７】
2014231653.tif 000009
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
前身頃と後ろ身頃とを有するパンツ本体と、
前記パンツ本体の内側に配設され、着用者の骨盤周囲において前記パンツ本体を固定するための伸縮性を有する環状ベルトとを備えるパンツであって、
前記環状ベルトは、
前記パンツ本体の前身頃に配設される帯状の第１及び第２ベルトと、
前記パンツ本体の後身頃に配設される、前記第１及び第２ベルトよりも幅の広い帯状の第３ベルトとを有し、
前記第１ベルト及び第２ベルトは、前記パンツ本体の前身頃において前記パンツ本体の左右の一方端から他方端にかけて斜めに延びるように配設されて、前記前身頃の左右方向中央部において互いにクロスされる、パンツ。
【請求項２】
前記環状ベルトは、前記パンツ本体の後ろ身頃において左右方向に水平に延びる、請求項１に記載のパンツ。
【請求項３】
前記環状ベルトは、その上端部が前記パンツ本体と接続され、その下端部は前記パンツ本体と接続されない、請求項１又は２に記載のパンツ。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
前身頃と後ろ身頃とを有するパンツ本体と、
前記パンツ本体の内側に配設され、着用者の骨盤周囲において前記パンツ本体を固定するための伸縮性を有する環状ベルトとを備えるパンツであって、
前記環状ベルトは、
前記パンツ本体の前身頃に配設される帯状の第１及び第２ベルトと、
前記パンツ本体の後身頃に配設される、前記第１及び第２ベルトよりも幅の広い帯状の第３ベルトとを有し、
前記第１ベルト及び第２ベルトは、前記パンツ本体の前身頃において前記パンツ本体の左右の一方端から他方端にかけて斜めに延びるように配設されて、前記前身頃の左右方向中央部において互いにクロスされ、
前記第３ベルトは、上側ベルト部および下側ベルト部を有し、
前記第１ベルトの一方端と前記上側ベルト部の一方端とは幅が同じであり、当該第１ベルトの一方端から当該上側ベルト部が連設されるように設けられ、
前記第２ベルトの一方端と前記下側ベルト部の一方端とは幅が同じであり、当該第２ベルトの一方端から当該下側ベルト部が連設されるように設けられ、
前記第１ベルトの他方端と前記下側ベルト部の他方端とは幅が同じであり、当該第１ベルトの他方端から当該下側ベルト部が連設されるように設けられ、
前記第２ベルトの他方端と前記上側ベルト部の他方端とは幅が同じであり、当該第２ベルトの他方端から当該上側ベルト部が連設されるように設けられ、
前記第１ベルト、第２ベルト、上側ベルト部および下側ベルト部によって構成される環状ベルトは、着用者の骨盤部分を周回するように設けられる、パンツ。
【請求項２】
前記環状ベルトは、前記パンツ本体の後ろ身頃において左右方向に水平に延びる、請求項１に記載のパンツ。
【請求項３】
前記環状ベルトは、その上端部が前記パンツ本体と接続され、その下端部は前記パンツ本体と接続されない、請求項１又は２に記載のパンツ。